(57)【要約】【課題】  術者による処置具の操作を可能にするとともに、処置具の挿抜及び取り扱いを容易にして手技を容易に行うことができる内視鏡用処置具及び内視鏡処置システムを提供すること。【解決手段】  体腔内に挿入される挿入部２と、挿入部２を操作する操作部３と、挿入部２と操作部３との内部を連通するチャンネル５と、チャンネル５の基端に接続された鉗子口６とを有する内視鏡７と、可撓性を有して先端に処置具先端部８が配された処置具挿入部１０と、処置具先端部８を操作する処置具操作部１１と、処置具挿入部１０を収納可能な収納部１２と、収納部１２を鉗子口６に取付可能な接続部１３とを有する内視鏡用処置具１５とを備えている。【選択図】  図１
2005218755.tif 000002
【特許請求の範囲】
【請求項１】
可撓性を有する処置具挿入部と、
該処置具挿入部を収納可能な収納部と、
前記収納部を内視鏡の鉗子口に取付可能な接続部とを備えていることを特徴とする内視鏡用処置具。
【請求項２】
前記接続部が、前記鉗子口と回動可能に固定できる取付機構を備えていることを特徴とする請求項１に記載の内視鏡用処置具。
【請求項３】
前記収納部が、前記処置具挿入部を巻き取る巻取り部材と、
該巻取り部材を手動で回動させる回動操作部とを備えていることを特徴とする請求項１又は２に記載の内視鏡用処置具。
【請求項４】
前記収納部から前記処置具挿入部を挿抜する挿抜手段を備えていることを特徴とする請求項１から３の何れか一つに記載の内視鏡用処置具。
【請求項５】
前記巻取り部材と前記挿抜手段とを連動して操作可能な伝達機構を備えていることを特徴とする請求項４に記載の内視鏡用処置具。
【請求項６】
処置を行う処置ユニットが前記処置具挿入部の先端側に着脱可能に接続されていることを特徴とする請求項１から５の何れか一つに記載の内視鏡用処置具。
【請求項７】
前記巻取り部材及び前記挿抜手段の少なくとも一方を駆動する駆動部を備えていることを特徴とする請求項４から６の何れか一つに記載の内視鏡用処置具。
【請求項８】
請求項１から７の何れか一つに記載の内視鏡用処置具と、
前記接続部と接続可能な鉗子口を有する内視鏡とを備えていることを特徴とする内視鏡処置システム。
【発明の詳細な説明】
【技術分野】
【０００１】
本発明は、内視鏡用処置具及び内視鏡処置システムに関する。
【背景技術】
【０００２】
一般に、鉗子等の処置具を内視鏡のチャンネルを介して体腔内に挿入する場合には、処置具を保持しながら術者がチャンネルに挿入している。しかしながら、例えば、大腸用の内視鏡では、この処置具挿入部の全長が２ｍ以上もあるため、処置具の挿入作業に手間がかかり、生検等の処置作業が極めて面倒である。また、操作時に長い処置具挿入部が鉗子口からそのまま突出されているので、操作の邪魔とされている。
そこでこの手間を軽減するため、内視鏡の鉗子口から挿入された処置具を挿抜可能であるとともにこれを格納する格納具を配した内視鏡システムが提案されている（例えば、特許文献１、２参照。）。
【特許文献１】米国特許第５，６９５，４９１号明細書  （第２図）
【特許文献２】米国特許第５，９３１，８３３号明細書  （第２図）
【発明の開示】
【発明が解決しようとする課題】
【０００３】
しかしながら、上記従来の技術では、処置具挿入部をチャンネル内に挿通した状態で鉗子口と格納具とが離間されているので、処置具の操作の際、内視鏡を操作する術者が操作することができず、介助者が必要になってしまう。また、鉗子口と格納具との間に延びる処置具挿入部が依然として取扱時に邪魔になっている。
本発明は上記事情に鑑みて成されたものであり、術者による処置具の操作を可能にするとともに、処置具の挿抜及び取り扱いを容易にして手技を容易に行うことができる内視鏡用処置具及び内視鏡処置システムを提供することを目的とする。
【課題を解決するための手段】
【０００４】
本発明は、上記課題を解決するため、以下の手段を採用する。
本発明に係る内視鏡用処置具は、可撓性を有する処置具挿入部と、該処置具挿入部を収納可能な収納部と、前記収納部を内視鏡の鉗子口に取付可能な接続部とを備えていることを特徴とする。
この内視鏡用処置具は、収納部内に処置具挿入部を収納することができ、長い処置具挿入部であっても取扱を容易に行うことができる。また、鉗子口に接続部を接続することによって収納部から直接処置具挿入部を鉗子口内に挿入することができ、処置具挿入部が邪魔にならず安定した状態で処置具の挿抜を行うことができる。
【０００５】
また、本発明に係る内視鏡用処置具は、前記内視鏡用処置具であって、前記接続部が、前記鉗子口と回動可能に固定できる取付機構を備えていることを特徴とする。
この内視鏡用処置具は、接続部を介して内視鏡に対する収納部の向きを変更することができ、処置具の操作を容易に行うことができる。
【０００６】
また、本発明に係る内視鏡用処置具は、前記内視鏡用処置具であって、前記収納部が、前記処置具挿入部を巻き取る巻取り部材と、該巻取り部材を手動で回動させる回動操作部とを備えていることを特徴とする。
この内視鏡用処置具は、回動操作部で巻取り部材を手動で回動操作することによって処置具挿入部を巻取り部材に巻き取ることができ、少ない収納スペースでも処置具挿入部を折り曲げることなく効率良く収納することができる。また、収納部から処置具挿入部を取り出す際にも容易に取り出すことができる。
【０００７】
また、本発明に係る内視鏡用処置具は、前記内視鏡用処置具であって、前記収納部から前記処置具挿入部を挿抜する挿抜手段を備えていることを特徴とする。
この内視鏡用処置具は、挿抜手段を操作することによって、収納部から処置具挿入部を取り出し、鉗子口を介して処置具挿入部を挿抜させることができる。
【０００８】
また、本発明に係る内視鏡用処置具は、前記内視鏡用処置具であって、前記巻取り部材と前記挿抜手段とを連動して操作可能な伝達機構を備えていることを特徴とする。
この内視鏡用処置具は、巻取り部材と挿抜手段との何れか一方を操作することによって他方も連動して操作することができ、処置具挿入部の挿抜と巻取り部材への巻取り、及び、取り出しとを同時に行うことができる。
【０００９】
また、本発明に係る内視鏡用処置具は、前記内視鏡用処置具であって、処置を行う処置ユニットが前記処置具挿入部の先端側に着脱可能に接続されていることを特徴とする。
この内視鏡用処置具は、処置ユニットのみを交換することによって複数の処置を行う場合にも対応することができ、取扱を容易にするとともに手技時間を短縮することができる。
【００１０】
また、本発明に係る内視鏡用処置具は、前記内視鏡用処置具であって、前記巻取り部材及び前記挿抜手段の少なくとも一方を駆動する駆動部を備えていることを特徴とする。
この内視鏡用処置具は、駆動部を駆動することによって、巻取り部材及び挿抜手段の少なくとも一方の操作を自動的に行うことができる。
【００１１】
本発明に係る内視鏡処置システムは、本発明に係る内視鏡用処置具と、前記接続部と接続可能な鉗子口を有する内視鏡とを備えていることを特徴とする。
この内視鏡処置システムは、本発明に係る内視鏡用処置具を鉗子口に接続して使用することによって、長い処置具の挿抜等の取扱いを手元で容易に行うことができる。
【発明の効果】
【００１２】
本発明によれば、内視鏡用処置具の挿抜、取扱い、及び、収納を容易にして手技をより容易に行うことができる。
【発明を実施するための最良の形態】
【００１３】
本発明に係る第１の実施形態について、図１から図３を参照しながら説明する。
本実施形態に係る内視鏡処置システム１は、図１に示すように、体腔内に挿入される挿入部２と、挿入部２を操作する操作部３と、挿入部２と操作部３との内部を連通するチャンネル５と、チャンネル５の基端に接続された鉗子口６とを有する内視鏡７と、可撓性を有して先端に処置具先端部８が配された処置具挿入部１０と、処置具先端部８を操作する処置具操作部１１と、処置具挿入部１０を収納可能な収納部１２と、収納部１２を鉗子口６に取付可能な接続部１３とを有する内視鏡用処置具１５とを備えている。
【００１４】
処置具挿入部１０は、コイル状に形成されたシース部１６と、シース部１６内で進退可能とされた不図示の操作ワイヤとを備えている。
収納部１２は、図２及び図３に示すように、接続部１３が接続された収納本体１７と、筒状、かつ、収納本体１７に対して中心軸回りに回動可能とされて処置具挿入部１０を基端側から巻き取る巻取り部材１８と、巻取り部材１８の回動軸Ｃと直交方向に配されて手動で巻取り部材１８を回動軸Ｃまわりに回動させる回動操作部２０とを備えている。
【００１５】
回動操作部２０の一端２０ａは、巻取り部材１８の回動軸Ｃに沿って配された巻取り軸部材２１を介して巻取り部材１８と接続されている。回動操作部２０の他端２０ｂには、巻取り軸部材２１と同じ方向に延びる把持軸部材２２が接続され、把持軸部材２２に対して回動自在に把持部２３が接続されている。
処置具操作部１１は、処置具挿入部１０の基端に接続されて巻取り部材１８の回動軸Ｃの延びる方向に沿って収納本体１７から突出して配されている。
【００１６】
処置具先端部８は、駆動力を受けて互いに開閉可能な一対の鉗子片２５、２６を備えている。
接続部１３は、内部に処置具挿入部１０が挿通可能な筒状に形成された接続本体２７と、接続本体２７の端部の内周面に配されたＯリング２８とを備え、鉗子口６と係合可能とされている。
【００１７】
次に、本実施形態に係る内視鏡処置システム１の使用方法、及び作用・効果について説明する。
まず、体腔内に内視鏡７の挿入部２を挿入して処置すべき患部に接近させた後、接続部１３のＯリング２８と鉗子口６とを係合させて内視鏡用処置具１５を内視鏡７に接続する。
【００１８】
把持部２３を把持し、処置具挿入部１０をチャンネル５内に送り出す方向に回動操作部２０を回動軸Ｃまわりに回転させると、巻取り部材１８が回動軸Ｃまわりに回転して処置具挿入部１０の巻回状態が緩められ、処置具挿入部１０が処置具先端部８側から接続部１３に押し出されて鉗子口６からチャンネル５内に挿入される。一方、処置具操作部１１は、巻取り軸部材２１とともにその場で回転する。
【００１９】
所定の位置に処置具先端部８が達した後、処置具操作部１１を操作して一対の鉗子片２５、２６の開閉操作を行い所定の処置を行う。
処置具挿入部１０を抜去する場合には、回動操作部２０を上記と逆方向に回転させると、処置具挿入部１０が基端側から巻取り部材１８に巻回される。こうして、処置具挿入部１０をチャンネル５から抜去する。
【００２０】
この内視鏡処置システム１によれば、収納部１２内に処置具挿入部１０を収納することができ、長い処置具挿入部１０であっても取扱を容易に行うことができる。また、鉗子口６に接続部１３を接続することによって収納部１２から直接処置具挿入部１０を鉗子口６内に挿入することができ、処置具挿入部１０が邪魔にならず安定した状態で挿抜を行うことができる。
さらに、処置具挿入部１０の抜去時に、回動操作部２０で巻取り部材１８を手動で回転操作することによって処置具挿入部１０を巻取り部材１８に巻き取ることができ、少ない収納スペースでも処置具挿入部１０を折り曲げることなく効率良く収納することができる。
【００２１】
次に、第２の実施形態について図４を参照しながら説明する。
なお、上述した第１の実施形態と同様の構成要素には同一符号を付すとともに説明を省略する。
第２の実施形態と第１の実施形態との異なる点は、本実施形態に係る内視鏡処置システム３０に係る内視鏡用処置具３１の接続部３２が、鉗子口６と回動可能に固定できる取付機構３３を備えている点である。
【００２２】
取付機構３３は、接続本体３５の一端３５ａに径方向内方に形成され接続本体３５の開口側に向かって突出量が漸次小さくされた顎部３６と、接続本体３５内に配され一端３７ａが接続本体３５の他端３５ｂ側に接続されたバネ３７と、バネ３７の他端３７ｂに接続されて鉗子口６のフランジ状の端部６Ｂと当接可能な係止板３８とを備えている。
顎部３６における接続本体３５の内径は、鉗子口６の端部６Ｂよりも小さく鉗子口本体６Ａよりも大きい径とされている。
顎部３６近傍の接続本体３５は、顎部３６が端部６Ｂを通過可能に湾曲可能とされている。
【００２３】
この内視鏡処置システム３０の操作方法、及び作用・効果について説明する。
本実施形態に係る内視鏡処置システム３０も、上記と同様の操作方法とされるが、鉗子口６に接続部３２を接続する際、接続本体３５の一端３５ａ側から鉗子口６と係合させる際、鉗子口６の端部６Ｂが係止板３８を押してバネ３７を縮めながら係止板３８を移動させる。
【００２４】
顎部３６と端部６Ｂとが係止されると、バネ３７の復元力によって端部６Ｂが係止板３８と顎部３６とに挟まれ、接続部３２が鉗子口６に固定される。この際、端部６Ｂと係止板３８との摩擦力よりも大きい力で接続本体３５を軸まわりに回転させると、鉗子口６に対して接続部３２が回転して処置具操作部１１を所望の向きに向けることができる。
この内視鏡処置システム３０によれば、接続部３２を介して操作部３に対する収納部１２の向きを変更可能に内視鏡用処置具３１を鉗子口６に固定することができ、内視鏡用処置具３１の操作を好適な向きに変更して容易な操作を行うことができる。
【００２５】
次に、第３の実施形態について図５及び図６を参照しながら説明する。
なお、上述した他の実施形態と同様の構成要素には同一符号を付すとともに説明を省略する。
第３の実施形態と第２の実施形態との異なる点は、本実施形態に係る内視鏡処置システム４０の内視鏡４１が、接続部４２と接続可能な鉗子口４３を備えているとした点である。
【００２６】
鉗子口４３の端部４３Ｂの外周面には、周方向に離隔されるとともに径方向に突出して形成された複数のバヨネット爪４５が配されている。
内視鏡用処置具４６の接続部４２の接続本体４７内周面には、バヨネット爪４５がそれぞれ嵌合可能なバヨネット溝（取付機構）４８が配されている。
【００２７】
本実施形態に係る内視鏡処置システム４０も、上記第２の実施形態と同様の作用・効果を得ることができるが、バヨネット爪４５をバヨネット溝４８に係合させながら接続部４２を鉗子口４３に対して回転させることによって鉗子口４３と接続部４２とをバヨネット結合させることができ、内視鏡用処置具４６をより安定して鉗子口４３に接続することができる。
【００２８】
次に、第４の実施形態について図７を参照しながら説明する。
なお、上述した他の実施形態と同様の構成要素には同一符号を付すとともに説明を省略する。
第４の実施形態と第１の実施形態との異なる点は、本実施形態に係る内視鏡処置システム５０の内視鏡用処置具５１が、収納部５２から処置具挿入部１０を挿抜する挿抜手段５３を備えているとした点である。
【００２９】
挿抜手段５３は、処置具挿入部１０を圧接して互いに対向して接続部１３近傍の収納本体１７内に配され、ローラ軸部材５５まわりに互いに逆方向に回動可能とされた一対のローラ５６、５７と、ローラ５６のローラ軸部材５５と直交方向に配されて手動でローラ５６をローラ軸部材５５まわりに回動させるローラ操作部５８とを備えている。
ローラ操作部５８の一端５８ａは、ローラ軸部材５５を介してローラ５６と接続されている。ローラ操作部５８の他端５８ｂには、ローラ操作部５８の延びる方向に対して直交方向に延びる把持部２３が接続されている。
【００３０】
次に、本実施形態に係る内視鏡処置システム５０の操作方法、及び、作用・効果について説明する。
まず、本実施形態においても、上記他の実施形態と同様に、内視鏡用処置具５１を鉗子口６に装着する。
次に、処置具挿入部１０をチャンネル５内に挿入する。この際、ローラ操作部５８を操作する。
【００３１】
すなわち、把持部２３を把持し、処置具挿入部１０をチャンネル５内に送り出す方向にローラ操作部５８をローラ軸部材５５まわりに回転する。
このとき、一対のローラ５６、５７が互いに異なる方向に回転するため、これらに圧接された処置具挿入部１０が進退する。そして、巻取り部材１８に巻回された処置具挿入部１０が処置具先端部８側から引き出されてチャンネル５内に挿入される。
所定の位置に処置具先端部８が達した後、処置具操作部１１にて一対の鉗子片２５、２６の操作を行い所定の処置を行う。
【００３２】
処置具挿入部１０を抜去する場合には、ローラ操作部５８ではなく、回動操作部２０を処置具挿入部１０を巻き取る方向に回転すると、上記他の実施形態と同様に、巻取り部材１８が回動軸Ｃまわりに回転し、処置具挿入部１０が基端側から巻取り部材１８に巻回される。こうして、処置具挿入部１０をチャンネル５から抜去する。
この内視鏡処置システム５０によれば、挿抜手段５３を操作して直接処置具挿入部１０を進退させることによって、回動操作部２０を操作する場合よりも収納部５２から処置具挿入部１０を容易に取り出すことができ、鉗子口６を介して処置具挿入部１０を挿抜させることができる。
【００３３】
次に、第５の実施形態について図８を参照しながら説明する。
なお、上述した他の実施形態と同様の構成要素には同一符号を付すとともに説明を省略する。
第５の実施形態と第４の実施形態との異なる点は、第４の実施形態に係る挿抜手段５３はローラ操作部５８を備えているが、本実施形態に係る内視鏡処置システム６１の内視鏡用処置具６２の挿抜手段６３はローラ操作部５８を備えておらず、代わりに、内視鏡用処置具６２が、ローラ５６のローラ軸部材５５と巻取り部材１８の巻取り軸部材２１とに巻回されてこれらを連動して操作可能な無端ベルト（伝達機構）６５を備えているとした点である。
この際、一対のローラ５６、５７によって処置具挿入部１０を送り出す長さと巻取り部材１８から処置具挿入部１０を送り出す長さとを同一の長さにする必要があるため、ローラ軸部材５５と巻取り軸部材２１との外径比が所定の比率で規定されている。
【００３４】
この内視鏡処置システム６１の操作方法、及び作用・効果について説明する。
まず、上記他の実施形態と同様に、内視鏡処置具６２を鉗子口６に装着する。
次に、処置具挿入部１０をチャンネル５内に挿入する際には、回動操作部２０の把持部２３を把持し、処置具挿入部１０をチャンネル５内に引き出す方向に回動操作部２０を回転させる。
【００３５】
この際、巻取り軸部材２１が回転するのに伴い、巻取り軸部材２１に巻回された無端ベルト６５が巻取り軸部材２１と同一の方向に回転して、ローラ５６のローラ軸部材５５に回転トルクが伝達されてローラ５６が巻取り部材１８と同一方向に回転する。一方、ローラ５７はローラ軸部材５５まわりにローラ５６と逆方向に回転し、これらに圧接されて巻取り部材１８に巻回された処置具挿入部１０が処置具先端部８側から引き出されてチャンネル５内に挿入される。
所定の位置に処置具先端部８が達した後、回転操作部２０の操作を停止して処置具操作部１１にて一対の鉗子片２５、２６の操作を行い所定の処置を行う。
【００３６】
処置具挿入部１０を抜去する場合には、回動操作部２０を上記とは逆方向に回転させると、上記他の実施形態と同様に処置具挿入部１０が基端側から巻取り部材１８に巻回される。こうして、処置具挿入部１０をチャンネル５から抜去する。
この内視鏡処置システム６１によれば、巻取り部材１８の回転操作に連動して一対のローラ５６、５７を回転操作することができ、処置具挿入部１０の挿抜と巻取り部材１８への巻取り、及び、取り出しとを同時に行うことができる。
なお、図９に示すように、無端ベルト６５が巻取り部材１８に直接巻回されていても構わない。
【００３７】
次に、第６の実施形態について図１０から図１２を参照しながら説明する。
なお、上述した他の実施形態と同様の構成要素には同一符号を付すとともに説明を省略する。
第６の実施形態と第５の実施形態との異なる点は、本実施形態に係る内視鏡処置システム６６の内視鏡用処置具６７が、図１０に示すように、回動操作部６８と操作ハンドル６９とを備え、これらの操作によって処置具先端部８を操作可能とされているとした点である。
【００３８】
図１１に示すように、収納部７０の収納本体７１は筒状に形成され、一端面７２には蓋部７６が設けられて巻取り部材１８が収納されている。
収納本体７１の他端面７３側には、巻取り部材１８から突出して延びて配された巻取り軸部材２１と第１のスペーサ７７を介して回動可能に接続された操作ハンドル６９が配されている。回動操作部６８は、第２のスペーサ８０を挟んで操作ハンドル６９に隣接して配されている。操作ハンドル６９と回動操作部６８とは、図示しない接着部にて接続されて共に回動可能とされ、或いは、接続されない場合には回動操作部６８に対して操作ハンドル６９が回動可能とされている。
無端ベルト６５は、ローラ６５と巻取り部材１８とに巻回されており、巻取り部材１８を回動させると無端ベルト６５の移動によってローラ５６に回転トルクが伝達される。
【００３９】
操作ハンドル６９は、図１２に示すように、巻取り軸部材２１と接続されたハンドル中央部８１と、ハンドル中央部８１の外周面の３箇所から径方向外方に向かって突出して延びる第１の指掛部８２、第２の指掛部８３、第３の指掛部８５とを備えている。
各指掛部の先端には、操作者の指が挿入可能な孔部８６がそれぞれ形成されている。
第１の指掛部８２の先端には、操作ワイヤ８７の基端が接続された取付部８８が配されている。
【００４０】
巻取り部材１８には取付部８８が貫通可能な貫通孔９０が形成されており、取付部８８が貫通孔９０に貫通されて係合された状態で操作ハンドル６９を回転操作することによって、巻取り部材１８が回転可能とされている。
回動操作部６８も、操作ハンドル６９と同様に、第１の指掛部８２、第２の指掛部８３、第３の指掛部８５とを備えて操作ハンドル６９よりも外方に配されている。把持部２３は、第１の指掛部８２の先端側に配されている。
【００４１】
次に、本実施形態に係る内視鏡処置システム６６の操作方法、及び、作用・効果について説明する。
まず、本実施形態においても、上記他の実施形態と同様に、内視鏡用処置具６７を鉗子口６に装着する。
処置具挿入部１０をチャンネル５内に挿入する際には、不図示の接着部にて操作ハンドル６９と回動操作部６８とを共に回動可能とさせた後、回動操作部６８の把持部２３を把持して回動操作部６８を回動軸Ｃまわりに回転させる。
【００４２】
この際、巻取り部材１８が回転するのに伴い、無端ベルト６５が巻取り部材１８と同一の方向に回転して、ローラ５６に回転トルクが伝達されてローラ５６が巻取り部材１８と同一方向に回転し、ローラ５７は逆方向に回転する。そして、巻取り部材１８に巻回された処置具挿入部１０が処置具先端部８側から引き出されてチャンネル５内に挿入される。この際、操作ワイヤ８７はシース部１６とともに移動するので、処置具先端部８に駆動力は伝達されない。
【００４３】
所定の位置に処置具先端部８が達した後、処置具操作部１１にて一対の鉗子片２５、２６の開閉操作を行う。その際、不図示の接着部を操作して回動操作部６８に対して操作ハンドル６９を回動自在とさせる。
そして、回動操作部６８の何れかの指掛部と操作ハンドル６９の対応する指掛部との孔部８６にそれぞれ指を掛けて、回動操作部６８と操作ハンドル６９とが互いに重なる方向に接近させる。
【００４４】
このとき、巻取り部材１８に接続されたシース部１６に対して操作ワイヤ８７が移動するため、処置具先端部８の駆動力が生じて操作ワイヤ８７を介して処置具先端部８に伝達されて一対の鉗子片２５、２６を開く。
一対の鉗子片２５、２６を閉じる場合には、操作ハンドル６９を回動操作部６８に対して離間する方向に移動させると、操作ワイヤ８７が上記と逆方向に移動して一対の鉗子片２５、２６を閉じる。
こうして、所定の処置を終了する。
【００４５】
処置具挿入部１０をチャンネル５から抜去する場合には、不図示の接着部にて回動操作部６８と操作ハンドル６９とを再び拘束し、回動操作部６８を上記と逆方向に回転させる。こうして、処置具挿入部１０をチャンネル５内に移動させるとともに巻取り部材１８に巻回させて収納する。
この内視鏡処置システム６６も、上記第５の実施形態と同様の効果を得ることができるが、処置具操作部１１の機能を回動操作部６８と操作ハンドル６９とで実施することができ、収納部７０をコンパクトにして内視鏡用処置具６７の収納スペースを削減することができる。
【００４６】
なお、本発明の技術範囲は上記実施の形態に限定されるものではなく、本発明の趣旨を逸脱しない範囲において種々の変更を加えることが可能である。
例えば、取付機構９１は、図１３（ａ）、（ｂ）に示すように、中央に第１の孔９２Ａと第２の孔９２Ｂと両者を連通する連通部９２Ｃとが形成された取付板９２を備え、接続本体９３が、第１の孔９２Ａと第２の孔９２Ｂとの間を移動可能に連通されているとしても構わない。
【００４７】
この場合、第１の孔９２Ａは、鉗子口６の端部６Ｂが挿通可能な外径とされ、第２の孔９２Ｂは、鉗子口本体６Ａよりも大きい外径に形成されている。したがって、取付板９２の第１の孔９２Ａを端部６Ｂに係合させて鉗子口本体６Ａまで挿入後、取付板９２を第２の孔９２Ｂのほうに移動することによって、内視鏡用処置具９５を鉗子口６に装着させることができる。
【００４８】
また、図１４及び図１５に示すように、回動操作部９６が、孔部のない第１の指掛部９７、第２の指掛部９８、第３の指掛部１００を備え、操作ハンドル１０１が、孔部のない第１の指掛部１０２、第２の指掛部１０３、第３の指掛部１０５とを備えた内視鏡用処置具１０６としても構わない。
この場合、上記第６の実施形態と異なり、各指掛部を直接把持して操作ハンドル１０１を回転することによって、上記第６の実施形態と同様の作用・効果を得ることができる。
【００４９】
さらに、上記実施形態では、巻取り部材１８及び一対のローラ５６、５７を手動で回転操作するものとしているが、これらを駆動する駆動部を備えているとしても構わない。
この場合、駆動部によって処置具挿入部１０の挿抜を自動的に行うことができる。
【００５０】
また、上記実施形態では、処置具先端部８が処置具挿入部１０に接続されているとしているが、一対の鉗子片２５、２６を備えて処置を行う処置ユニットが処置具挿入部の先端側に着脱可能に接続されているとしても構わない。
この場合、処置毎にそれぞれの処置に対応した処置ユニットに交換することによって、手技をより短時間で行うことができる。
【図面の簡単な説明】
【００５１】
【図１】本発明に係る第１の実施形態の内視鏡処置システムを示す正面図である。
【図２】本発明に係る第１の実施形態における内視鏡用処置具を示す正面図である。
【図３】本発明に係る第１の実施形態における内視鏡用処置具を示す側面図である。
【図４】本発明に係る第２の実施形態における内視鏡用処置具の要部を示す断面図である。
【図５】本発明に係る第３の実施形態における内視鏡の鉗子口を示す正面図である。
【図６】本発明に係る第３の実施形態における内視鏡処置システムの要部を示す断面図である。
【図７】本発明に係る第４の実施形態における内視鏡用処置具を示す正面図である。
【図８】本発明に係る第５の実施形態における内視鏡用処置具を示す正面図である。
【図９】本発明に係る第５の実施形態における内視鏡用処置具の他の例を示す正面側の断面図である。
【図１０】本発明に係る第６の実施形態における内視鏡用処置具を示す正面図である。
【図１１】本発明に係る第６の実施形態における内視鏡用処置具の構成を示す側面図である。
【図１２】本発明に係る第６の実施形態における内視鏡用処置具の回転操作部を示す正面図である。
【図１３】本発明に係る他の実施形態における内視鏡用処置具の取付機構を示す図である。
【図１４】本発明に係る他の実施形態における内視鏡用処置具を示す正面図である。
【図１５】本発明に係る他の実施形態における内視鏡用処置具を示す側面側の断面図である。
【符号の説明】
【００５２】
１、３０、４０、５０、６１、６６  内視鏡処置システム
６、４３  鉗子口
７、４１  内視鏡
１０  処置具挿入部
１２、５２、７０  収納部
１３、３２、４２  接続部
１５、３１、４６、５１、６２、６７、９５、１０６  内視鏡用処置具
１８、１０８  巻取り部材
２０、６８、９６  回動操作部
３３、９１  取付機構
４８  バヨネット溝（取付機構）
５３、６３  挿抜手段
６５  無端ベルト（伝達機構）
【図１】
2005218755.tif 000003
【図２】
2005218755.tif 000004
【図３】
2005218755.tif 000005
【図４】
2005218755.tif 000006
【図５】
2005218755.tif 000007
【図６】
2005218755.tif 000008
【図７】
2005218755.tif 000009
【図８】
2005218755.tif 000010
【図９】
2005218755.tif 000011
【図１０】
2005218755.tif 000012
【図１１】
2005218755.tif 000013
【図１２】
2005218755.tif 000014
【図１３】
2005218755.tif 000015
【図１４】
2005218755.tif 000016
【図１５】
2005218755.tif 000017